(57)【要約】【課題】対向した金属シェル同士を正確にかつスムーズに嵌合できるようにする。【解決手段】両金属シェル５０，８０の先端側同士が嵌合することにより、両端子金具２０，６５の接続部分付近の回りを電磁遮蔽するシールドコネクタにおいて、両金属シェル５０，８０のうち内側に嵌合される金属シェル８０が装着されたインナハウジング６１の外周面には、外側に嵌合される金属シェル５０の接触板５２の先端と係合して同接触板５２を内側に嵌合される金属シェル８０の外周に誘導する誘導リブ９０が設けられ、かつ、この誘導リブ９０は、連結部７１から少なくとも内側に嵌合される金属シェル８０の先端を越えた位置まで延びて形成されており、外側に嵌合される金属シェル５０の接触板５２における挿入方向と直交した幅方向の位置が、内側に嵌合される金属シェル８０の接触板８２とその隣接する誘導リブ９０に共に接するように配置されている。【選択図】図１２
2015195148.tif 000002
【特許請求の範囲】
【請求項１】
互いに嵌合される一対のコネクタハウジングを備え、
各コネクタハウジングは、端子金具が収容されるインナハウジングが、アウタハウジングの内周に対し周方向に間隔を開けて配された複数の連結部を介してクリアランスを持って支持されるとともに、
前記インナハウジングの外周に、前記連結部を逃がすスリットが切られることにより先端側が複数枚の接触板に分割された筒状をなす金属シェルが後方から装着された構造になり、
両コネクタハウジングが嵌合されると、対向した端子金具同士が接続されるとともに、前記両金属シェルの先端側同士が嵌合しつつ、前記両端子金具の接続部分付近の回りを覆って電磁遮蔽するようにしたシールドコネクタにおいて、
前記両金属シェルのうち内側に嵌合される前記金属シェルが装着された前記インナハウジングの外周面には、前記両コネクタハウジングの嵌合時において外側に嵌合される前記金属シェルの前記接触板の先端と係合して同接触板を前記内側に嵌合される前記金属シェルの外周に誘導する誘導リブが設けられ、
かつ、この誘導リブは、前記連結部から少なくとも前記内側に嵌合される前記金属シェルの先端を越えた位置まで延びて形成されており、
前記外側に嵌合される前記金属シェルの前記接触板における挿入方向と直交した幅方向の位置が、前記内側に嵌合される前記金属シェルの前記接触板とその隣接する前記誘導リブに共に接するように配置されていることを特徴とするシールドコネクタ。
【請求項２】
前記誘導リブは、前記内側の金属シェルにおける前記接触板の一側の側縁に沿い、かつ対なす前記外側の金属シェルにおける前記接触板の同側の側縁部の内面側に潜り込むように形成されていることを特徴とする請求項１記載のシールドコネクタ。
【請求項３】
前記誘導リブの高さが、前記内側の金属シェルの前記接触板における前端部の厚さとほぼ等しい寸法に採られていることを特徴とする請求項１または請求項２記載のシールドコネクタ。
【発明の詳細な説明】
【技術分野】
【０００１】
本発明は、シールドコネクタに関する。
【背景技術】
【０００２】
従来、シールドコネクタの一例として、下記特許文献１に記載されたようなものが知られている。このものは、互いに嵌合される雌雄のコネクタハウジングを備え、各コネクタハウジングは、アウタハウジング内に、シールド電線の端末に接続された雌端子または雄端子が収容されるインナハウジングが、複数のリブ状の連結部を介して径方向にクリアランスを持って支持され、言い換えると宙吊り状態で設けられるとともに、そのインナハウジングの外周に、連結部を逃がすスリットを有する金属シェルが後方から嵌着されて、シールド電線の編組線と接触されている。そして、両コネクタハウジングが嵌合されると、対応する雌雄の端子金具同士が接続されるとともに、両金属シェルの先端側同士が嵌合しつつ、端子金具の接続部分付近の回りを覆って電磁遮蔽するようになっている。
【先行技術文献】
【特許文献】
【０００３】
【特許文献１】特開２００４−１７１８３２号公報
【発明の概要】
【発明が解決しようとする課題】
【０００４】
ところで、アウタハウジングの内側に複数の連結部を介して宙吊り状態で設けられたインナハウジングの外周に金属シェルを嵌着するためには、上記のように、金属シェルの先端側に連結部を逃がす複数のスリットを切る必要があり、そのため金属シェルの先端側は複数の接触板に分割された形態となる。
一方、両金属シェルのうち内側に嵌合される金属シェルは、その先端側が、装着されたインナハウジングで受けられるのに対して、外側に嵌合される金属シェルは、先端側がインナハウジングの先端から前方に突出した形態を採るため、上記のように複数の接触板に分割されていると、接触板の先端が内側に倒れるように変形する、すなわち内倒れする可能性がある。
【０００５】
このような状態で雌雄のコネクタハウジングが嵌合されると、内倒れした接触板が、相手の接触板に突き当たったり、下に潜り込む事態を招き、両金属シェルが正規に嵌合できなくなるおそれがあった。
本発明は上記のような事情に基づいて完成されたものであって、その目的は、対向した金属シェル同士を正確にかつスムーズに嵌合できるようにするところにある。
【課題を解決するための手段】
【０００６】
本発明は、互いに嵌合される一対のコネクタハウジングを備え、各コネクタハウジングは、端子金具が収容されるインナハウジングが、アウタハウジングの内周に対し周方向に間隔を開けて配された複数の連結部を介してクリアランスを持って支持されるとともに、前記インナハウジングの外周に、前記連結部を逃がすスリットが切られることにより先端側が複数枚の接触板に分割された筒状をなす金属シェルが後方から装着された構造になり、両コネクタハウジングが嵌合されると、対向した端子金具同士が接続されるとともに、前記両金属シェルの先端側同士が嵌合しつつ、前記両端子金具の接続部分付近の回りを覆って電磁遮蔽するようにしたシールドコネクタにおいて、前記両金属シェルのうち内側に嵌合される前記金属シェルが装着された前記インナハウジングの外周面には、前記両コネクタハウジングの嵌合時において外側に嵌合される前記金属シェルの前記接触板の先端と係合して同接触板を前記内側に嵌合される前記金属シェルの外周に誘導する誘導リブが設けられ、かつ、この誘導リブは、前記連結部から少なくとも前記内側に嵌合される前記金属シェルの先端を越えた位置まで延びて形成されており、前記外側に嵌合される前記金属シェルの前記接触板における挿入方向と直交した幅方向の位置が、前記内側に嵌合される前記金属シェルの前記接触板とその隣接する前記誘導リブに共に接するように配置されているところに特徴を有する。
【０００７】
外側の金属シェルの接触板が仮に内倒れしていたとしても、同接触板の先端が、内側の金属シェルが装着されたインナハウジングに設けられた誘導リブと係合することで、内側の金属シェルの外周に誘導されつつ両金属シェル同士が嵌合される。そのため、両コネクタハウジングを嵌合する際、対向する金属シェル同士を干渉等することなく正確にかつスムーズに嵌合でき、ひいてはコネクタハウジングの嵌合作業を正確に能率良く行うことができる。
誘導リブは、連結部から少なくとも内側の金属シェルの先端を越えた位置まで延びた形態で形成されているから、同誘導リブを形成するに当たり、スライド型を用いることなく、前後方向に接離する成形型のみで成形でき、製造コストの低減に寄与し得る。また、内側の金属シェルをインナハウジングに装着するに当たり、同金属シェルの接触板の側縁を誘導リブの側面に沿わせることによって、金属シェルをスムーズに装着することができる。
【０００８】
また、以下のような構成としてもよい。
（１）前記誘導リブは、前記内側の金属シェルにおける前記接触板の一側の側縁に沿い、かつ対なす前記外側の金属シェルにおける前記接触板の同側の側縁部の内面側に潜り込むように形成されている。
誘導リブが、内側の金属シェルの各接触板において一方の側縁のみに沿った形態で設けられているから、同接触板の幅寸法の削減が最小限に抑えられ、シールド機能の低下が抑制される。
【０００９】
（２）前記誘導リブの高さが、前記内側の金属シェルの前記接触板における前端部の厚さとほぼ等しい寸法に採られている。
外側の金属シェルの接触板が誘導リブに乗り上げることに続いて、内側の金属シェルの外周にスムーズに誘導されつつ両金属シェル同士が嵌合される。
【発明の効果】
【００１０】
本発明によれば、一対のコネクタハウジングに対向して装着された金属シェル同士を正確にかつスムーズに嵌合することができる。
【図面の簡単な説明】
【００１１】
【図１】本発明の一実施形態に係る雌雄のコネクタの嵌合前の側面図
【図２】雌コネクタの正面図
【図３】雌側金属シェルの装着動作を示す縦断面図
【図４】雌側金属シェルの平面図
【図５】雄コネクタの正面図
【図６】雌雄のコネクタの嵌合前の縦断面図（図２と図５のVI−VI線断面図）
【図７】雌雄のコネクタの嵌合前の平断面図（図２と図５のVII−VII線断面図）
【図８】雌雄のコネクタの嵌合途中の縦断面図
【図９】嵌合完了時の縦断面図
【図１０】同平断面図
【図１１】雌雄の金属シェルの嵌合状態を示す雄コネクタの一部切欠平面図
【図１２】雌雄の金属シェルの嵌合動作を示す断面図
【図１３】誤嵌合の検知動作を示す断面図
【図１４】比較例における雌雄の金属シェルの嵌合動作を示す断面図
【発明を実施するための形態】
【００１２】
＜実施形態＞
本発明の一実施形態を図１から図１３に基づいて説明する。
この実施形態では、図１に示すように、互いに嵌合される雌雄一対のコネクタＦ，Ｍを備えている。なお以下では、それぞれのコネクタＦ，Ｍについて、嵌合面側を前方として説明する。
雌コネクタＦは、図６及び図７に示すように、雌側のコネクタハウジング３０（以下、雌ハウジング３０）と、シールド電線１０の端末に固着されて雌ハウジング３０内に収容される２個の雌端子２０と、雌側金属シェル５０とを備えている。
【００１３】
シールド電線１０は、図６に示すように、芯線１１と、絶縁内皮１２と、編組線１３と、絶縁外皮１４とが、内側から同心に配された公知構造のものであって、端末では順次に露出され、編組線１３の端末が後方に捲られて絶縁外皮１４の端末の上に被せられ、後端側に拡径部１５Ａを有する金属筒１５でかしめ固着された状態に処理されている。
雌端子２０は、金属板をプレス加工して形成され、後記する相手の雄端子６５と接続される角筒形の接続部２１を有し、後端に設けられたバレル２２をかしめることで、ゴム栓２５ともどもシールド電線１０の端末に圧着接続されている。
【００１４】
雌ハウジング３０は合成樹脂製であって、大まかには図６及び図７に示すように、インナハウジング３１（フロントリテーナ３１Ａを含む）と、アウタハウジング３２（シール押さえ３２Ａを含む）とから構成されている。インナハウジング３１は、図２に示すように、横長の略長方形断面に形成され、その内部には、前後方向を向いた図示２個のキャビティ３４が横方向に並んで形成されている。各キャビティ３４内には、上記したシールド電線１０の端末に固着された雌端子２０が後方から挿入され、底面に設けられたランス３５に係止されることで、雌端子２０が抜け止め状態で収容されるとともに、キャビティ３４の入口にゴム栓２５が嵌着されている。
【００１５】
アウタハウジング３２は、インナハウジング３１の後端側の大部分からその後方の回りを覆うようにして、インナハウジング３１よりも一回り大きい角筒形に形成されている。アウタハウジング３２の後部側に設けられた装着室３７内には、各シールド電線１０の編組線１３に圧着された金属筒１５が収容されている。
なお、装着室３７の後端には、シールド電線１０を緊密に挿通したシール孔３８Ａを有する一括ゴム栓３８が嵌着され、リアホルダ３９により抜け止めされるようになっている。
【００１６】
インナハウジング３１の外周には、雌側金属シェル５０が嵌着されるようになっている。そのため図３に示すように、インナハウジング３１の後端部の外周面と、アウタハウジング３２の前端部の内周面との間に、横長の長方形の環状をなす雌側金属シェル５０の挿入空間４０が形成されているとともに、インナハウジング３１の後端部の外周面と、アウタハウジング３２の長さ方向の中央部の内周面との互いにラップした部分が、長方形の四隅と上下各辺の中央部の計６箇所において、連結部４１によって連結され、したがってインナハウジング３１はアウタハウジング３２の内側において、連結部４１を介して径方向のクリアランスを持って支持され、すなわち宙吊りの状態で支持されている。
【００１７】
雌側金属シェル５０は、図３及び図６に示すように、上記したようにインナハウジング３１の外周に嵌装可能で、かつインナハウジング３１の長さ方向のほぼ中央部から、アウタハウジング３２の後端部に寄った位置に亘る長さを持った横長断面の角筒形に形成されている。なお、雌側金属シェル５０は、同一形状に二分割された２つの分割シェルを組み付けることで構成されている。
【００１８】
雌側金属シェル５０の前部側では、図３及び図４に示すように、その四つ角並びに上下各面の中央幅位置の計６箇所において、上記したインナハウジング３１を宙吊り状態で支持するために設けられた各連結部４１を緊密に挿通して逃がすスリット５１が、前縁から切り込み形成されている。その結果、各スリット５１の間に、前方に片持ち状に延出した６枚の接触板５２が形成されている。
各接触板５２の前端部５２Ａは外面に折り重ねられて二重板構造とされているとともに、各接触板５２の前端寄りの位置には、後記する相手の雄側金属シェル８０と弾性接触する接点板５３が形成されている。正面視で上面左側と下面右側の接触板５２には、その基端位置において、係止爪５４が内方に向けて切り起こし形成されている。
雌側金属シェル５０の後部側では、その上下両面から各シールド電線１０における編組線１３に嵌着された金属筒１５（拡径部１５Ａ）を挟むように接触するための対をなす接触片５５が、左右方向に２組並んで形成されている。
【００１９】
係る構造になる雌側金属シェル５０は、図３の矢線に示すように、アウタハウジング３２の装着室３７内に後方から挿入され、各スリット５１を対応する連結部４１に合わせた形態で、挿入空間４０に押し込まれる。各スリット５１の奥縁が連結部４１に当たったところで押し込みが停止され、このとき係止爪５４がインナハウジング３１の外面に食い込んで（図６参照）、後方への抜け止めがなされる。
雌側金属シェル５０が正規位置に装着されると、図６及び図７に示すように、６枚の接触板５２が、アウタハウジング３２の前端の所定寸法手前位置まで延出した形態で、同アウタハウジング３２の内周面に沿うように配される。また、後部側の２組の対をなす接触片５５は、装着室３７内に収容される。
【００２０】
なお、アウタハウジング３２の外周にはさらに、インナハウジング３１の先端に達する大フード部４４が形成されている。大フード部４４の上面における中央幅位置に設けられた膨出部４４Ａ内には、後記する相手の雄側のコネクタハウジング６０（以下、雄ハウジング６０）との間を嵌合状態にロックするロックアーム４５が設けられている。
【００２１】
雄コネクタＭは機器一体型であって、図６に示すように、合成樹脂製の機器ケースの側壁から一体に突設された雄ハウジング６０と、２個の雄端子６５と、雄側金属シェル８０とを有している。
雄ハウジング６０は、同様にインナハウジング６１とアウタハウジング６２とから構成されている。インナハウジング６１は、図５に示すように、外形が横長の長方形に形成され、その前面には、雌ハウジング３０のインナハウジング３１が嵌合される嵌合凹部６３が形成されている。同嵌合凹部６３内には、雌ハウジング３０側の雌端子２０と接続可能なバスバー状をなす２本の雄端子６５が、対応した配置で奥面から突出している。
【００２２】
インナハウジング６１の回りには、図５及び図６に示すように、詳しくは後記する雄側金属シェル８０の挿入空間７０を介してアウタハウジング６２が形成されている。このアウタハウジング６２の前面側には、前面開口の小フード部６６が、インナハウジング６１の前端の少し先の位置まで延出して形成されている。小フード部６６の奥面は、インナハウジング６１の嵌合凹部６３の奥面より所定寸法前方に位置しており、同インナハウジング６１の外周と小フード部６６との間に、雌ハウジング３０のアウタハウジング３２が嵌合されるようになっている。また、小フード部６６の外周には、雌ハウジング３０の大フード部４４が嵌合可能であり、小フード部６６の上面の前端寄りの位置には、雌ハウジング３０に設けられたロックアーム４５が係止するロック突部６７が形成されている。
【００２３】
インナハウジング６１の外周には、雄側金属シェル８０が嵌着されるようになっている。そのため図５及び図６に示すように、インナハウジング６１の外周面と、アウタハウジング６２における小フード部６６の奥面よりも後方領域の内周面との間に、横長の長方形の環状をなす雄側金属シェル８０の挿入空間７０が形成されているとともに、インナハウジング６１の外周面と、アウタハウジング６２の内周面との互いにラップした部分が、長方形の四隅と上下各辺の中央部の計６箇所において、前後方向に長いリブ状をなす連結部７１によって連結されている。したがって雄ハウジング６０においても、インナハウジング６１はアウタハウジング６２の内側において、連結部７１を介して宙吊りの状態で支持されている。
【００２４】
ここで特筆すべきは、雄ハウジング６０の挿入空間７０に設けられた連結部７１の形状並びに形成位置を、雌ハウジング３０の挿入空間４０に設けられた連結部４１と比較すると、図５に参照して示すように、上下の２個の連結部７１は、対向する雌ハウジング３０側の連結部４１に対し、同図の反時計回り方向前方に略半幅ずれており、四隅の連結部７１では、その反時計回り方向前方の端縁が、対向する雌ハウジング３０側の連結部４１の端縁から上記のほぼずれ寸法分広げられている。
【００２５】
雄側金属シェル８０は、インナハウジング６１の外周に嵌装可能な横長断面の角筒形に形成され、例えば金属板をプレス加工して形成されている。
雄側金属シェル８０の前部側では、図５に示すように、その四つ角並びに上下各面の中央幅位置の計６箇所において、上記したインナハウジング６１を宙吊り状態で支持するために設けられた各連結部７１を緊密に挿通して逃がすスリット８１が、前縁から切り込み形成されている。その結果、各スリット８１の間に、前方に片持ち状に延出した６枚の接触板８２が形成されている。各接触板８２の前端部８２Ａは、図６に示すように、内面に折り重ねられて二重板構造とされている。したがって挿入空間７０の内外の対向面の間隔は、接触板８２の前端部８２Ａの厚さに匹敵する寸法が採られている。
【００２６】
雄側金属シェル８０は、詳しくは図示しないが、雄ハウジング６０の後面側から、各スリット８１を対応する連結部７１に合わせた形態で、挿入空間７０に押し込まれ、各スリット８１の奥縁が連結部７１に当たったところで押し込みが停止され、併せて抜け止めされる。
雄側金属シェル８０が正規位置に装着されると、図６に示すように、６枚の接触板８２が、インナハウジング６１の前端における段差部６１Ａの所定寸法手前位置まで延出した形態で、インナハウジング６１の外周面に沿うように配される。
【００２７】
また、雄側金属シェル８０の６枚の接触板８２は、上記した雌側金属シェル５０の対応する接触板５２と概ね内外に重なっているが、連結部４１，７１ひいてはスリット５１，８１の形成形態の相違によって、重なり具合が不規則となっている。
詳細には、図５における右上と左下の２組の対をなす接触板５２，８２では、両接触板５２，８２の幅寸法はほぼ同じである一方、内側（雄側金属シェル８０）の接触板８２が同図の反時計回り方向前方に略１／５幅程度ずれており、言い換えると、外側（雌側金属シェル５０）の接触板５２の反時計回り方向後方の側縁が、内側の接触板８２の同側縁よりも反時計回り方向後方へ所定寸法張り出している。
【００２８】
他の４組の対をなす接触板５２，８２では、内側の接触板８２の方が幅狭に形成され、詳細には、内側の接触板８２における反時計回り方向後方の側縁が、外側の接触板５２の同側縁よりも所定寸法前方に退避しており、言い換えると、同じく外側の接触板５２の反時計回り方向後方の側縁が、内側の接触板８２の同側縁よりも反時計回り方向後方へ所定寸法張り出している。
【００２９】
さて、図５及び図６に示すように、上記した雄ハウジング６０の挿入空間７０に設けられた６個の連結部７１の前面からは、誘導リブ９０が前方に向けて延出形成されている。各誘導リブ９０は、対応する連結部７１の前面における中央幅位置から、連結部７１よりも少し小さい幅寸法と、接触板８２の前端部８２Ａ（二重板部）の厚さに匹敵する高さとを持って前方に延出形成され、その延出端は、接触板８２の前端を越えてインナハウジング６１の段差部６１Ａの位置に達している。各誘導リブ９０の延出端面は、後方に向けて上り勾配となったテーパ面９１となっている。
【００３０】
そして、各誘導リブ９０は、図５に示すように、少なくとも正面視で反時計回り方向前方の側縁部が、内側の接触板８２の反時計回り方向後方の側縁に近接し、言い換えると、外側の接触板５２における反時計回り方向後方の張り出した側縁部の内面側に潜り込むような形態で形成されている。
【００３１】
続いて、本実施形態の作用を説明する。
機器側の雄コネクタＭでは、図５から図７に示すように、雄ハウジング６０におけるインナハウジング６１に対し、２本の雄端子６５が、横方向に並んで嵌合凹部６３内に所定寸法突出した形態で装着される。それとともに、雄側金属シェル８０が挿入空間７０に後方から挿入され、正規位置まで挿入されたところでは、各接触板８２の先端が、誘導リブ９０の先端よりも所定寸法控えた位置に達する。
【００３２】
雌コネクタＦは、例えば以下のような手順で組み付けられる。
インナハウジング３１の外周に内側ハウジングシール４７が嵌着されて、フロントリテーナ３１Ａで外れ止めされるとともに、アウタハウジング３２の外周に外側ハウジングシール４８が嵌着されて、シール押さえ３２Ａで外れ止めされるされる。
次に雌側金属シェル５０が、図３に参照して示すように、アウタハウジング３２の装着室３７から挿入空間４０に向けて挿入され、各スリット５１の奥縁が連結部４１に当たったところで押し込みが停止され、併せて抜け止めされて装着される。雌側金属シェル５０が正規位置に装着されると、図６及び図７に示すように、雌側金属シェル５０の６枚の接触板５２が、アウタハウジング３２の前端の所定寸法手前位置まで延出した形態で、同アウタハウジング３２の内周面に沿うように配される。
【００３３】
係る状態から、２本のシールド電線１０の端末に接続された雌端子２０が、装着室３７からその奥の対応するキャビティ３４内に挿入され、雌端子２０がフロントリテーナ３１Ａに当たる正規位置まで押し込まれたところで、ランス３５により抜け止めされ、かつゴム栓２５がキャビティ３４の入口を塞ぐ。この間に、シールド電線１０における編組線１３の端末に嵌着された金属筒１５、特に後端側の拡径部１５Ａが対をなす上下の接触片５５の間に割って入り、両接触片５５が金属筒１５の拡径部１５Ａを弾性的に挟んだ形態で電気的に接続される。
そののち、シールド電線１０に先通しされていた一括ゴム栓３８が装着室３７の後端に嵌着され、リアホルダ３９で保持されることによって、雌コネクタＦの組み付けが完了する。
【００３４】
雌コネクタＦの組み付けが完了したら、図６及び図７の矢線に示すように、相手の雄コネクタＭに向けて嵌合される。嵌合動作の途中では、図８に示すように、対向する雌雄の端子金具２０，６５同士の嵌合が開始されるタイミングで、雌雄の金属シェル５０，８０同士の嵌合が開始される。引き続いて雌ハウジング３０は、ロックアーム４５を撓み変位させつつ雄ハウジング６０に対して嵌合され、正規に嵌合されると、図９及び図１０に示すように、ロックアーム４５が復元変位してロック突部６７に係止することで嵌合状態にロックされる。この状態では、雌ハウジング３０のインナハウジング３１が、雄ハウジング６０のインナハウジング６１の嵌合凹部６３内に完全嵌合することで、対向した雌雄の端子金具２０，６５同士が嵌合接続される。
【００３５】
それとともに、雌側金属シェル５０の前端部に形成された６枚の接触板５２が、雄側金属シェル８０の前端部に形成された６枚の各接触板５２の外周に嵌合し、雌側金属シェル５０の接触板５２に設けられた接点板５３が、内側で対応する雄側金属シェル８０の接触板８２に弾性的に押しつけられることにより、雌雄の金属シェル５０，８０が電気的に接続される。
これにより、雄端子６５から雌雄の端子金具２０，６５の接続部分、さらにはシールド電線１０の端末における金属筒１５の嵌着部分にわたり、電気的に一体接続された雌雄の金属シェル５０，８０で覆われた状態となる。
【００３６】
ここで、雌側金属シェル５０の先端側は、スリット５１を介して複数枚（６枚）の接触板５２に分割されているため、接触板５２によっては、先端が内方に傾くように変形する、すなわち内倒れする場合があり得る。
そのような内倒れした接触板５２Ｘがある状態で、雌コネクタＦが相手の雄コネクタＭに嵌合されると、嵌合動作の途中において、図１２（Ａ）に示すように、接触板５２Ｘの先端の一側縁が、相手のインナハウジング６１に形成された誘導リブ９０の先端のテーパ面９１に当たり、続いてテーパ面９１を昇って外方に弾性変形しつつ誘導リブ９０に乗り上げ、併せて同図（Ｂ）に示すように、相手の接触板８２の外面の先端に誘導される。
さらに嵌合動作が継続されると、接点板５３を弾性変形させつつ相手の接触板８２の外面上を摺接し、雄コネクタＭが正規位置まで嵌合されたところでは、同図（Ｃ）及び図１１に示すように、接点板５３が復元弾力で接触板８２に押し付けられた形態で、接触板８２の外側に接触板５２が嵌合された状態となる。
【００３７】
以上説明したように本実施形態によれば、雌側金属シェル５０の接触板５２が仮に内倒れしていたとしても、同接触板５２の先端が、雄側金属シェル８０が装着されたインナハウジング６１に設けられた誘導リブ９０に乗り上げることで、雄側金属シェル８０の接触板８２の外周に誘導されつつ、両金属シェル５０，８０同士が嵌合される。すなわち、雌雄のコネクタハウジング３０，６０を嵌合する際、対向する金属シェル５０，８０同士を干渉等することなく正確にかつスムーズに嵌合でき、ひいてはコネクタＦ，Ｍの嵌合作業を正確に能率良く行うことができる。
【００３８】
誘導リブ９０は、雄側金属シェル８０の挿入空間７０において、周方向に沿って間欠的に形成された連結部７１の前面から前方に延びた形態で形成されているから、同誘導リブ９０を形成するに当たり、スライド型を用いることなく、前後方向に接離する成形型のみで成形でき、製造コストの低減に寄与し得る。
また、雄側金属シェル８０を挿入空間７０に挿入してインナハウジング６１の外周に装着するに当たり、同雄側金属シェル８０の接触板８２の側縁を誘導リブ９０の側面に沿わせることで、同雄側金属シェル８０をがたつきなくスムーズに装着することが可能となる。
【００３９】
雌側金属シェル５０の接触板５２を乗り上げさせて誘導する誘導リブ９０は、雄側金属シェル８０の各接触板８２において一方の側縁のみに沿った形態で設けられているから、同接触板８２の幅寸法の削減が最小限に抑えられ、シールド機能の低下が抑制される。
誘導リブ９０の外面が、雄側金属シェル８０の接触板８２における前端部８２Ａの外面の高さ位置とほぼ一致するように形成されているから、雌側金属シェル５０の接触板５２が誘導リブ９０に乗り上げることに続いて、雄側金属シェル８０の接触板８２の外周にスムーズに誘導されつつ、両金属シェル５０，８０同士が嵌合される。
【００４０】
また、この実施形態では、雄側金属シェル８０の接触板８２Ｘが外側に開き変形（外開き）した状態で両金属シェル５０，８０が嵌合される誤嵌合を未然に防止することができる。  
例えば、比較例を示す図１４のように、誘導リブ９０Ｘが、雌側金属シェル５０の接続板５２の乗り上げのみを意図した短寸のものであった場合は、同図（Ａ）に示すように、仮に雄側金属シェル８０の接触板８２Ｘが外開きしていると、以下のような弊害がある。
すなわち、このような外開きした接触板８２Ｘがある状態で、雌コネクタＦが相手の雄コネクタＭに嵌合されると、同図（Ｂ）に示すように、雌側金属シェル５０の接触板５２の先端が誘導リブ９０Ｘの上面を摺接しつつ、外開きした相手の接触板８２Ｘの先端に当たり、引き続き同図（Ｃ）に示すように、接触板８２Ｘをさらに開きつつその内側に潜り込もうとする。さらに嵌合が継続されると、同図（Ｄ）に示すように、接触板５２が誘導リブ９０Ｘの背面側において内方に屈曲して接触板８２Ｘの内側に潜り込みつつ、所定量の嵌合が許容されてしまう。
すなわち、両金属シェル５０，８０同士が歪な形態で嵌合しながらも、コネクタＦ，Ｍ同士が正規量嵌合されてしまう事態を招く。
【００４１】
それに対して本実施形態では、図１３に示すように、誘導リブ９０が、その基端側が連結部７１（図５参照）に達するまで長く形成されている。
そのため、同図（Ａ）に示すように、仮に雄側金属シェル８０の接触板８２Ｘが外開きしている場合には、雌コネクタＦが相手の雄コネクタＭに嵌合されることに伴い、同図（Ｂ）に示すように、雌側金属シェル５０の接触板５２が先端が誘導リブ９０の上面を摺接しつつ、外開きした相手の接触板８２Ｘの先端の内側に潜り込もうとするが、接触板５２は誘導リブ９０により内方への屈曲が規制されるから、結局は同図（Ｃ）に示すように、接触板５２の先端が相手の接触板８２Ｘの先端に突き当たったまま、接触板５２のそれ以上の進出、すなわちそれ以上のコネクタＦ，Ｍの嵌合が規制される。
そのため、両金属シェル５０，８０同士が歪な形態で嵌合したままコネクタＦ，Ｍ同士が正規量嵌合されてしまう、すなわち誤嵌合することを未然に防止できる。
【００４２】
＜他の実施形態＞
本発明は上記記述及び図面によって説明した実施形態に限定されるものではなく、例えば次のような実施形態も本発明の技術的範囲に含まれる。
（１）誘導リブの先端が、内側に嵌合される金属シェルの接触板の先端を越えて延びる寸法は、外側に嵌合される金属シェルの接触板の先端が先に誘導リブの先端に当接する限り適宜に設定し得る。
（２）上記実施形態では、ガイド用に誘導リブの前端面にテーパ面を形成した場合を例示したが、外側に嵌合される金属シェルの接触板の先端にガイド部があれば、誘導リブのテーパ面はこれを割愛してもよい。
【００４３】
（３）上記実施形態では、内側の金属シェルの接触板における一側の側縁に沿ってのみ誘導リブを形成した場合を例示したが、各接触板について、両側縁に沿うような形態で２本の誘導リブを形成するようにしてもよい。
（４）金属シェルの先端側に設けられる接触板の分割数は、任意である。
（５）上記実施形態では、機器直結型のシールドコネクタに適用した場合を例示したが、共にシールド電線の端末に接続された雌雄のコネクタ同士を嵌合する、いわゆるワイヤ−ワイヤ形式のシールドコネクタについても、本発明は同様に適用することができる。
【符号の説明】
【００４４】
Ｆ…雌コネクタ
Ｍ…雄コネクタ
１０…シールド電線
２０…雌端子（端子金具）
３０…雌ハウジング（コネクタハウジング）
３１…インナハウジング
３２…アウタハウジング
４０…挿入空間
４１…連結部
５０…雌側金属シェル（外側に嵌合される金属シェル）
５１…スリット
５２，５２Ｘ…接触板
６０…雄ハウジング（コネクタハウジング）
６１…インナハウジング
６２…アウタハウジング
７０…挿入空間
７１…連結部
８０…雄側金属シェル（内側に嵌合される金属シェル）
８１…スリット
８２，８２Ｘ…接触板
９０…誘導リブ
【図１】
2015195148.tif 000003
【図２】
2015195148.tif 000004
【図３】
2015195148.tif 000005
【図４】
2015195148.tif 000006
【図５】
2015195148.tif 000007
【図６】
2015195148.tif 000008
【図７】
2015195148.tif 000009
【図８】
2015195148.tif 000010
【図９】
2015195148.tif 000011
【図１０】
2015195148.tif 000012
【図１１】
2015195148.tif 000013
【図１２】
2015195148.tif 000014
【図１３】
2015195148.tif 000015
【図１４】
2015195148.tif 000016